(57)【要約】【課題】３重葺きに適した折板屋根葺板及び屋根材を提供する。【解決手段】折板屋根葺板１０は、第１の板斜め立上部１１の頂部には第１のはぜ締め部１３が形成されている一方、第２の板斜め立上部１５の頂部には、隣接する折板屋根葺板１０に形成された第１のはぜ締め部１３と係合して一緒にはぜ締めされる第２のはぜ締め部１７が形成されている。第１の板斜め立上部１１及び第２の板斜め立上部１５の各中部には、タイトフレーム２０に形成された突出係止部２７・２８に嵌合係止される嵌合係止部１２・１６がそれぞれ形成されている。第１の板斜め立上部１１と第２の板斜め立上部１５との間の寸法は、２００ｍｍ以上かつ４００ｍｍ以下であり、第１のはぜ締め部１３及び第２のはぜ締め部１７の下端までの山高さＨが５０ｍｍ以上かつ２５０ｍｍ以下であり、板厚さが０．６〜１．０ｍｍである。【選択図】図１
2011208476.tif 000002
【特許請求の範囲】
【請求項１】
働き巾方向の両端部にそれぞれ斜めに立ち上がる第１の板斜め立上部と第２の板斜め立上部とを有し、
上記第１の板斜め立上部における頂部には第１のはぜ締め部が形成されている一方、上記第２の板斜め立上部における頂部には、隣接する折板屋根葺板に形成された上記第１のはぜ締部と係合して一緒にはぜ締めされる第２のはぜ締め部が形成されており、
上記第１の板斜め立上部及び第２の板斜め立上部における各中部には、タイトフレームに形成された突出係止部に嵌合係止される嵌合係止部がそれぞれ形成されていると共に、
上記第１の板斜め立上部と第２の板斜め立上部との間の寸法は、２００ｍｍ以上かつ４００ｍｍ以下であり、上記第１のはぜ締め部及び第２のはぜ締め部の下端までの山高さが５０ｍｍ以上かつ２５０ｍｍ以下であり、板厚さが０．６〜１．０ｍｍであることを特徴とする折板屋根葺板。
【請求項２】
施工前の働き巾の寸法は、屋根下地へ取り付けた後の働き巾の寸法よりも短いことを特徴とする請求項１記載の折板屋根葺板。
【請求項３】
裏面には、断熱材が固着されていることを特徴とする請求項１又は２記載の折板屋根葺板。
【請求項４】
請求項１，２又は３記載の折板屋根葺板と、タイトフレームとを含み、折板屋根葺板を、タイトフレームを介して屋根下地に取り付ける屋根材であって、
上記タイトフレームは、２つの山部と、これら２つの山部の間を結ぶ中央平底部と、これら２つの山部の両端側に延びる端底部とを有するフレームからなると共に、
上記山部には、上記折板屋根葺板の第１の板斜め立上部及び第２の板斜め立上部に沿う第１のフレーム斜め立上部及び第２のフレーム斜め立上部と、上記折板屋根葺板の第１のはぜ締部及び第２のはぜ締め部の下側を支持する頂部平端部と、上記第１のフレーム斜め立上部及び第２のフレーム斜め立上部における各中部に設けられ、かつ上記折板屋根葺板に形成された嵌合係止部を係止する突出係止部とがそれぞれ形成されていることを特徴とする屋根材。
【請求項５】
前記タイトフレームは、１０００ｍｍ以上かつ２５００ｍｍ以下のピッチで前記屋根下地に支持固定されることを特徴とする請求項４記載の屋根材。
【発明の詳細な説明】
【技術分野】
【０００１】
本発明は、屋根下地に取り付けられる折板屋根葺板、及び該折板屋根葺板及びタイトフレームから構成される屋根材に関するものであり、特に、改修用の３重葺きに適した折板屋根葺板及び屋根材に関するものである。
【背景技術】
【０００２】
従来、古くなった折板屋根の上にさらに新しく折板屋根を葺く屋根改修工事が行われている。このような改修工事の施工方法として、出願人は、特許文献１に開示する屋根リフォーム工法を提案している。
【０００３】
この改修方法では、図７に示すように、段頂に座して旧連結起立部１０１を挟むと共に、それよりも上に背伸びする左右一対の締板１１１・１１２からなる葺付用金物１１０を使用し、その葺付用金物１１０は、締板１１１・１１２の上端に間隔を保持する突出部１１０ａ・１１０ａを備え、また、一方の締板１１２には下端部に旧連結起立部１０１の加締突部１０１ａに引っ掛かる掛止部１１０ｂを屈折して設けている。そして、一側の締板の外側に新掛止金具１２１を添え旧連結起立部１０１よりも上において、カバー１１３をした両方の締板１１１・１１２、及び吊り子からなる新掛止金具１２１に締ボルト１２２を貫通させて、ナット１２３により締め付ける。
【０００４】
これにより、旧折板１００の上に新掛止金具１２１を取り付け、この新掛止金具１２１のフック部１２１ａに新折板１３０の連結片１３１・１３２を一緒にしてはぜ締めすることにより、新折板１３０が固定されるようになっている。尚、旧折板１００と新折板１３０との間には、発泡プラスチック系断熱材が充填されている。
【先行技術文献】
【特許文献】
【０００５】
【特許文献１】特開平１１−２４７３６５号公報（１９９９年９月１４日公開）
【発明の概要】
【発明が解決しようとする課題】
【０００６】
しかしながら、上記従来の折板屋根葺板及び屋根材では、以下の問題点を有している。
【０００７】
すなわち、特許文献１に開示された屋根リフォーム工法は、２重葺きの改修工事に関するものであり、この２重葺きの改修工事のさらにその上に３重葺きの折板屋根を葺く場合に、２重葺きの新折板１３０の上に吊り子からなる新掛止金具１２１を用いて３重葺きの折板屋根板を葺いたのでは、強度の点で問題がある。この場合、所定の強度を保持するためには、新掛止金具１２１の数を増やすことが考えられるが、取り付けに時間を要する等の弊害が発生する。
【０００８】
また、２重葺きの改修工事に用いた折板屋根板の働き巾が大きい場合には、新掛止金具１２１の数を増やしたとしても、３重葺きの折板屋根板の支持が弱くなり、特許文献１に開示された屋根リフォーム工法を適用することが困難である。
【０００９】
本発明は、上記従来の問題点に鑑みなされたものであって、その目的は、３重葺きに適した折板屋根葺板及び屋根材を提供することにある。
【課題を解決するための手段】
【００１０】
本発明の折板屋根葺板は、上記課題を解決するために、働き巾方向の両端部にそれぞれ斜めに立ち上がる第１の板斜め立上部と第２の板斜め立上部とを有し、上記第１の板斜め立上部における頂部には第１のはぜ締め部が形成されている一方、上記第２の板斜め立上部における頂部には、隣接する折板屋根葺板に形成された上記第１のはぜ締部と係合して一緒にはぜ締めされる第２のはぜ締め部が形成されており、上記第１の板斜め立上部及び第２の板斜め立上部における各中部には、タイトフレームに形成された突出係止部に嵌合係止される嵌合係止部がそれぞれ形成されていると共に、上記第１の板斜め立上部と第２の板斜め立上部との間の寸法は、２００ｍｍ以上かつ４００ｍｍ以下であり、上記第１のはぜ締め部及び第２のはぜ締め部の下端までの山高さが５０ｍｍ以上かつ２５０ｍｍ以下であり、板厚さが０．６〜１．０ｍｍであることを特徴としている。
【００１１】
上記の発明によれば、折板屋根葺板は、第１の板斜め立上部と第２の板斜め立上部との間の寸法は、２００ｍｍ以上かつ４００ｍｍ以下であり、山高さが５０ｍｍ以上かつ２５０ｍｍ以下であり、板厚さが０．６〜１．０ｍｍである。
【００１２】
この結果、一般に、２重葺きの改修工事で使用される折板屋根葺板の山高さは２００ｍｍ未満であるので、本発明の折板屋根葺板を２重葺きの改修工事で使用された折板屋根葺板に覆い被せることができる。したがって、３重葺きの改修工事にて使用することができる。
【００１３】
また、本発明の折板屋根葺板は、上記第１の板斜め立上部と第２の板斜め立上部との間の寸法は、２００ｍｍ以上かつ４００ｍｍ以下であり、支持部材であるタイトフレームを介して屋根下地となる例えば２重葺きの改修工事で使用された折板屋根葺板の下底に取り付けられる。すなわち、第１の板斜め立上部と第２の板斜め立上部との間の寸法が長くても、吊り子ではなく、タイトフレーム介して屋根下地に固定されるので、屋根下地が２重葺きの改修工事で使用された折板屋根葺板であっても、強固に固定することができる。
【００１４】
特に、本発明では、折板屋根葺板の板厚さが０．６〜１．０ｍｍであり、折板屋根葺板として一般的に使用される厚さよりも厚い。このため、タイトフレームを用いて屋根下地に取り付けることによって強固に取り付けられると共に、タイトフレームの流れ方向への設置ピッチを長くしても、必要とする固定強度が得られる。この結果、施工の容易な改修方法を提供することができる。
【００１５】
したがって、３重葺きに適した折板屋根葺板を提供することができる。
【００１６】
本発明の折板屋根葺板では、施工前の働き巾の寸法は、屋根下地へ取り付けた後の働き巾の寸法よりも短いことが好ましい。
【００１７】
すなわち、本発明の折板屋根葺板は、タイトフレームに取り付ける場合には、まず、タイトフレームを屋根下地に固定し、その上側から、山部及び底部を有するタイトフレームに折板屋根葺板を嵌合させるように押し込む。この場合、タイトフレームに形成された突出係止部に折板屋根葺板の嵌合係止部を嵌合係止させる固定方法においては、折板屋根葺板を嵌合させるためにタイトフレームに押し込むときに、タイトフレームに形成された突出係止部が、折板屋根葺板の裏面に傷を付けたり、変形させたりするおそれがある。また、折板屋根葺板の板厚が厚い場合には、無理に押し込んでも嵌合できない可能性がある。
【００１８】
この点、本発明の折板屋根葺板では、施工前の働き巾の寸法が、屋根下地へ取り付けた後の働き巾の寸法よりも短くなっている。このため、折板屋根葺板を山部及び底部を有するタイトフレームに押し込んでも折板屋根葺板の嵌合係止部がタイトフレームに形成された突出係止部に接触しないか、又は接触したとしても僅かに接触するだけであるので、容易に、折板屋根葺板をタイトフレームに沿わせることができる。
【００１９】
その後、本発明の折板屋根葺板では、第１の板斜め立上部と第２の板斜め立上部との頂部に形成された第１のはぜ締部と第２のはぜ締め部との間に存在していた隙間を合致させた後、はぜ締めする。このため、第１のはぜ締部と第２のはぜ締め部とを合致させることによって、タイトフレームに形成された突出係止部に折板屋根葺板の嵌合係止部を嵌合係止させることができる。
【００２０】
この結果、この嵌合方法を使用することにより、折板屋根葺板を傷付けることなく、折板屋根葺板をタイトフレームに容易に嵌合固定することができる。
【００２１】
また、本発明の折板屋根葺板では、裏面には、断熱材が固着されていることが好ましい。これにより、折板屋根葺板と屋根下地との間の断熱シート等の現場施工が不要となる。
【００２２】
本発明の屋根材は、上記課題を解決するために、上記記載の折板屋根葺板と、上記タイトフレームは、２つの山部と、これら２つの山部の間を結ぶ中央平底部と、これら２つの山部の両端側に延びる端底部とを有するフレームからなると共に、上記山部には、上記折板屋根葺板の第１の板斜め立上部及び第２の板斜め立上部に沿う第１のフレーム斜め立上部及び第２のフレーム斜め立上部と、上記折板屋根葺板の第１のはぜ締部及び第２のはぜ締め部の下側を支持する頂部平端部と、上記第１のフレーム斜め立上部及び第２のフレーム斜め立上部における各中部に設けられ、かつ上記折板屋根葺板に形成された嵌合係止部を係止する突出係止部とがそれぞれ形成されていることを特徴としている。
【００２３】
上記の発明によれば、屋根材は、折板屋根葺板とタイトフレームとを含んでいる。そして、屋根下地に固定されたタイトフレームに折板屋根葺板を取り付ける場合には、タイトフレームにおける第１のフレーム斜め立上部及び第２のフレーム斜め立上部における各中部に形成された突出係止部に、折板屋根葺板に形成された嵌合係止部を係止させる。したがって、折板屋根葺板をタイトフレームに容易に係止させることができる。
【００２４】
本発明の屋根材では、前記タイトフレームは、１０００ｍｍ以上かつ２５００ｍｍ以下のピッチで前記屋根下地に支持固定されるとすることができる。
【００２５】
すなわち、従来においては、一般的に、２重葺きの改修工事に使用される折板屋根葺板の板厚は薄いものであったので、屋根下地への固定も例えば６００ｍｍピッチ等の狭いものであった。しかし、本発明の折板屋根葺板は、板厚が厚いので、タイトフレームを従来のピッチよりも長くして取り付けることができる。したがって、タイトフレーム及び折板屋根葺板を１０００ｍｍ以上かつ２５００ｍｍ以下のピッチで屋根下地に支持固定されるとすることができる。
【発明の効果】
【００２６】
本発明の折板屋根葺板は、以上のように、働き巾方向の両端部にそれぞれ斜めに立ち上がる第１の板斜め立上部と第２の板斜め立上部とを有し、上記第１の板斜め立上部における頂部には第１のはぜ締め部が形成されている一方、上記第２の板斜め立上部における頂部には、隣接する折板屋根葺板に形成された上記第１のはぜ締部と係合して一緒にはぜ締めされる第２のはぜ締め部が形成されており、上記第１の板斜め立上部及び第２の板斜め立上部における各中部には、タイトフレームに形成された突出係止部に嵌合係止される嵌合係止部がそれぞれ形成されていると共に、上記第１の板斜め立上部と第２の板斜め立上部との間の寸法は、２００ｍｍ以上かつ４００ｍｍ以下であり、上記第１のはぜ締め部及び第２のはぜ締め部の下端までの山高さが５０ｍｍ以上かつ２５０ｍｍ以下であり、板厚さが０．６〜１．０ｍｍである。
【００２７】
また、本発明の屋根材は、以上のように、上記記載の折板屋根葺板と、タイトフレームとを含み、折板屋根葺板を、タイトフレームを介して屋根下地に取り付ける屋根材であって、上記タイトフレームは、２つの山部と、これら２つの山部の間を結ぶ中央平底部と、これら２つの山部の両端部に延びる端底部とを有するフレームからなると共に、
上記山部には、上記折板屋根葺板の第１の板斜め立上部及び第２の板斜め立上部に沿う第１のフレーム斜め立上部及び第２のフレーム斜め立上部と、上記折板屋根葺板の第１のはぜ締部及び第２のはぜ締め部の下側を支持する頂部平端部と、上記第１のフレーム斜め立上部及び第２のフレーム斜め立上部における各中部に設けられ、かつ上記折板屋根葺板に形成された嵌合係止部を係止する突出係止部とがそれぞれ形成されている。
【００２８】
それゆえ、３重葺きに適した折板屋根葺板及び屋根材を提供するという効果を奏する。
【図面の簡単な説明】
【００２９】
【図１】本発明における折板屋根葺板及び屋根材の実施の一形態を示す断面図である。
【図２】上記折板屋根葺板の構成を示す断面図である。
【図３】（ａ）は連結した折板屋根葺板におけるはじ締め前の状態を示す断面図であり、（ｂ）連結した折板屋根葺板におけるはじ締め後の状態を示す断面図である。
【図４】上記屋根材のタイトフレームの構成を示す斜視図である。
【図５】上記屋根材のタイトフレームの取り付けピッチを示す断面図である。
【図６】上記タイトフレームと折板屋根葺板との係合を示す断面図である。
【図７】従来の折板屋根葺板及び屋根材の構成を示す斜視図である。
【発明を実施するための形態】
【００３０】
本発明の一実施形態について図１〜図６に基づいて説明すれば、以下のとおりである。
【００３１】
本実施の形態の屋根材１は、図１に示すように、折板屋根葺板１０とタイトフレーム２０とを含み、折板屋根葺板１０を、タイトフレーム２０を介して屋根下地に取り付けるものである。
【００３２】
ここで、本実施の形態の折板屋根葺板１０及び屋根材１は、３重葺きの改修工事のために使用されている。したがって、本実施の形態では、図１に示すように、既設の２重葺きである既設折板２が本発明の屋根下地となっている。また、初回の屋根板は、既設瓦棒葺き屋根３である。
【００３３】
尚、このように、本実施の形態の屋根材１は、３重葺きの改修工事に使用するのに適したものとなっているが、必ずしもこれに限らず、初回葺きや２重葺きの改修工事に適用することも可能である。したがって、初回葺きの場合には、屋根下地は、例えば、木毛センント板４及び垂木５となる。
【００３４】
本実施の形態では、折板屋根葺板１０は、図２に示すように、１枚の鋼板から形成されており、働き巾Ｗ方向の両端部にそれぞれ斜めに立ち上がる第１の板斜め立上部１１と第２の板斜め立上部１５とを有している。
【００３５】
上記第１の板斜め立上部１１における頂部には第１のはぜ締め部１３が形成されている一方、上記第２の板斜め立上部１５における頂部には、隣接する折板屋根葺板１０に形成された第１のはぜ締め部１３と係合して一緒にはぜ締めされる第２のはぜ締め部１７が形成されている。
【００３６】
また、第１の板斜め立上部１１及び第２の板斜め立上部１５における各中部には、後述するタイトフレーム２０に形成された突出係止部２７・２８に嵌合係止される嵌合係止部１２・１６がそれぞれ形成されている。
【００３７】
本実施の形態の折板屋根葺板１０における上記第１の板斜め立上部１１と第２の板斜め立上部１５との間は、略平面板からなっており、その巾寸法は例えば２３８ｍｍとなっている。これによって、既設の２重葺きの既設折板２における底部の巾寸法に対応する幅となっている。したがって、折板屋根葺板１０を３重葺きの改修工事にて使用することができる。尚、本実施の形態では、第１の板斜め立上部１１と第２の板斜め立上部１５との間の巾寸法は、既設の２重葺きの既設折板２に合わせて例えば２３８ｍｍとなっているが、必ずしもこれに限らず、本発明では、既設の２重葺きの既設折板２に合わせて例えば２００ｍｍ以上かつ４００ｍｍ以下とすることが可能である。すなわち、第１の板斜め立上部１１と第２の板斜め立上部１５との間の寸法が長くても、後述する吊り子２ａではなく、タイトフレーム２０を介して屋根下地に固定されるので、屋根下地が２重葺きの改修工事で使用された２重葺きの既設折板２であっても、強固に固定することができる。
【００３８】
また、本実施の形態の折板屋根葺板１０の山高さは、第１のはぜ締め部１３及び第２のはぜ締め部１７の下端までの山高さＨが、例えば９５ｍｍとなっている。これによって、既設の２重葺きの既設折板２における山高さの寸法６３ｍｍに対応する高さとなっている。尚、本実施の形態では、折板屋根葺板１０の山高さは、第１のはぜ締め部１３及び第２のはぜ締め部１７の下端までの山高さＨが、例えば９５ｍｍとなっているが、必ずしもこれに限らず、本発明では、１重葺きの既設瓦棒葺き屋根３の高さ４０ｍｍに合わせて例えば５０ｍｍ以上とすることが可能である。
【００３９】
また、山高さＨの上限については、強度等を考慮して、例えば、２５０ｍｍ以下とすることが好ましい。すなわち、本発明においては、折板屋根葺板１０の山高さは、第１のはぜ締め部１３及び第２のはぜ締め部１７の下端までの山高さＨが、５０ｍｍ以上かつ２５０ｍｍ以下が好ましい。
【００４０】
また、本実施の形態の折板屋根葺板１０の板厚さは、例えば０．８ｍｍとなっている。この板厚さは、本実施の形態の折板屋根葺板１０の高さが高いので、この高さに対応する強度を得るためである。すなわち、従来では、既設の２重葺きの既設折板２における山高さの寸法６３ｍｍを考慮にして、例えば、板厚さ０．４ｍｍの薄いものを使用しても、強度的に十分であった。
【００４１】
しかし、本実施の形態の折板屋根葺板１０は、山の高さが高いので、この高さに対応する強度を得るために、板厚さを例えば０．８ｍｍとしている。尚、本実施の形態では、折板屋根葺板１０の板厚さを例えば、０．８ｍｍとしているが、必ずしもこれに限らず、本発明では、折板屋根葺板１０の山の高さに合わせて板厚さが０．６〜１．０ｍｍであるとすることが可能である。
【００４２】
これによって、タイトフレーム２０を用いて屋根下地に取り付けることによって強固に取り付けられると共に、タイトフレーム２０の流れ方向への設置ピッチを長くしても、必要とする固定強度が得られる。この結果、施工の容易な改修方法を提供することができる。したがって、３重葺きに適した折板屋根葺板１０を提供することができる。
【００４３】
また、本実施の形態の折板屋根葺板１０は、施工前の働き巾の寸法は、屋根下地へ取り付けた後の働き巾Ｗの寸法よりも短く形成されている。
【００４４】
すなわち、図３（ａ）に示すように、施工前では、互いに隣接する折板屋根葺板１０・１０の一方の第１のはぜ締め部１３と他方の第２のはぜ締め部１７とを合わせた場合には、その間に例えば４ｍｍの隙間Ｄが設けられるようになっている。そして、これら第１のはぜ締め部１３と他方の第２のはぜ締め部１７とをはぜ締めした場合には、図３（ｂ）に示すように、両者が合わさるようになっている。このとき、本実施の形態では、第１のはぜ締め部１３と他方の第２のはぜ締め部１７とは全てが密着するのではなく、第１のはぜ締め部１３と他方の第２のはぜ締め部１７との間に、２つの空間部Ｓ１・Ｓ２が形成されるようになっている。これにより、例えば、雨水が第１のはぜ締め部１３と他方の第２のはぜ締め部１７との間を毛細管現象にて浸透して、折板屋根葺板１０の内側に侵入するのを防止している。
【００４５】
さらに、本実施の形態の図２に示す折板屋根葺板１０の裏面１０ａには、図示しない断熱材が固着されている。断熱材は、例えば、厚み４ｍｍのポリエチレンフォーム等の樹脂膜が使用されており、図示しないローラーにて、ポリエチレンフォームが折板屋根葺板１０の裏面１０ａに貼着されたものとなっている。この結果、折板屋根葺板１０と既設の２重葺きの既設折板２との間の断熱シートが不要となるというメリットがある。
【００４６】
すなわち、従来の既設の２重葺きの既設折板２では、板厚さが例えば０．４ｍｍであった。このため、既設折板２の裏面にポリエチレンフォームを、上記の施工方法にて、ローラーにて押圧することによって貼着した場合、既設折板２が薄いので、表面が凸凹になるという欠点があった。そのため、板厚さの薄い既設折板２の裏面にポリエチレンフォームを貼着できず、１重葺きの既設瓦棒葺き屋根３と２重葺きの既設折板２との間に、現場施工にて断熱シート又は防水シートを敷く作業や発泡プラスチック系断熱材を設ける作業が必要となっていた。この点、本実施の形態では、工場にて、断熱シートとしてのポリエチレンフォーム等の樹脂膜を貼着しておくので、施工現場での手数が省けることになり、工期の短縮が図れる。
【００４７】
次に、本実施の形態のタイトフレーム２０について、図４及び図１に基づいて説明する。
【００４８】
本実施の形態のタイトフレーム２０は、図４に示すように、２つの山部２１・２１と、これら２つの山部２１・２１の間を結ぶ中央平底部２２と、これら２つの山部２１・２１の両端側に延びる端底部２３・２３とを有するフレームからなっており、上記折板屋根葺板１０の内側面に沿う形状となっている。
【００４９】
上記山部２１には、図１に示すように、それぞれ、折板屋根葺板１０の第１の板斜め立上部１１及び第２の板斜め立上部１５に沿う第１のフレーム斜め立上部２４及び第２のフレーム斜め立上部２５と、折板屋根葺板１０の第１のはぜ締め部１３及び第２のはぜ締め部１７の下側を支持する頂部平端部２６と、第１のフレーム斜め立上部２４及び第２のフレーム斜め立上部２５における各中部に形成され、折板屋根葺板１０に設けられた嵌合係止部１２・１６を係止する突出係止部２７・２８とが形成されている。
【００５０】
上記構成の屋根材１における屋根下地への施工方法について説明する。
【００５１】
図１に示すように、本実施の形態の屋根材１を、屋根下地である２重葺きの既設折板２の上に施工するには、まず、タイトフレーム２０を２重葺きの既設折板２にドリルビス等により固定する。ここで、図５に示すように、従来においては、２重葺きの既設折板２の屋根下地である１重葺きの既設瓦棒葺き屋根３への固定のための吊り子２ａは、例えば６００ｍｍピッチにて取り付けられていた。この理由は、２重葺きの既設折板２の板厚さが、０．４ｍｍと薄いものであったこと及び吊り子２ａを介して固定していたことから、強度的に問題があり、既設折板２の流れ方向における吊り子２ａの配置のピッチを狭くする必要があったからである。
【００５２】
これに対して、本実施の形態では、強度的に頑丈なタイトフレーム２０を使用すること、及び折板屋根葺板１０の板厚さが０．６ｍｍであり厚いことから、図５に示すように、従来の４倍の配設ピッチである２４００ｍｍのピッチにて配設しておけば強度的に十分となっている。この結果、吊り子２ａの数の減少、及びタイトフレーム２０の配設数の減少により、施工期間の短縮を図ることが可能となる。
【００５３】
次いで、上記のタイトフレーム２０を２重葺きの既設折板２に固定した後、その上側から、折板屋根葺板１０を、山部２１・２１及び中央平底部２２等の凹凸を有するタイトフレーム２０に嵌合させるように押し込む。
【００５４】
この場合、タイトフレーム２０に形成された突出係止部２７・２８に、折板屋根葺板１０の嵌合係止部１２・１６を嵌合係止させる固定方法においては、折板屋根葺板１０を嵌合させるためにタイトフレーム２０に押し込むときに、タイトフレーム２０に形成された突出係止部２７・２８が、折板屋根葺板１０の裏面に傷を付けたり、変形させたりするおそれがある。また、折板屋根葺板１０の板厚が厚い場合には、無理に押し込んでも嵌合できない可能性がある。
【００５５】
この点、本実施の形態の折板屋根葺板１０では、施工前の働き巾の寸法が、屋根下地へ取り付けた後の働き巾Ｗの寸法よりも短くなっている。この結果、互いに隣接する折板屋根葺板１０・１０同士を連結させた場合には、図３（ａ）に示すように、折板屋根葺板１０・１０の間に隙間Ｄが形成される。これにより、図６において一点鎖線で示すように、折板屋根葺板１０をタイトフレーム２０側に押し込んでも折板屋根葺板１０の嵌合係止部１２・１６がタイトフレーム２０に形成された突出係止部２７・２８に接触しないか、又は接触したとしても僅かに接触するだけである。したがって、折板屋根葺板１０をタイトフレーム２０に容易に沿わせることができる。
【００５６】
その後、図３（ｂ）に示すように、第１の板斜め立上部１１と第２の板斜め立上部１５との頂部に形成された第１のはぜ締め部１３と第２のはぜ締め部１７との間に存在していた上記隙間Ｄを合致させた後、はぜ締めする。この結果、第１のはぜ締め部１３と第２のはぜ締め部１７とを合致させたことによって、図６において実線で示すように、タイトフレーム２０に形成された突出係止部２７・２８に折板屋根葺板１０の嵌合係止部１２・１６を嵌合係止させることができる。
【００５７】
この結果、この嵌合方法を使用することにより、折板屋根葺板１０を傷付けることなく、折板屋根葺板１０をタイトフレーム２０に容易に嵌合固定することができる。
【産業上の利用可能性】
【００５８】
本発明は、屋根下地に取り付けられる折板屋根葺板、及び該折板屋根葺板及びタイトフレームから構成される屋根材に適用できる。特に、改修用の３重葺きに適した折板屋根葺板及び屋根材に関するものであるが、新設に使用することも可能である。
【符号の説明】
【００５９】
１          屋根材
２          既設折板
２ａ        吊り子
３          既設瓦棒葺き屋根
１０          折板屋根葺板
１０ａ        裏面
１１          第１の板斜め立上部
１２          嵌合係止部
１３          第１のはぜ締め部
１５          第２の板斜め立上部
１６          嵌合係止部
１７          第２のはぜ締め部
２１          山部
２２          中央平底部
２３          端底部
２４          第１のフレーム斜め立上部
２５          第２のフレーム斜め立上部
２６          頂部平端部
２７          突出係止部
Ｄ          隙間
Ｈ          第１のはぜ締め部及び第２のはぜ締め部の下端までの山高さ
Ｓ１・Ｓ２  空間部
Ｗ          働き巾
【図１】
2011208476.tif 000003
【図２】
2011208476.tif 000004
【図３】
2011208476.tif 000005
【図４】
2011208476.tif 000006
【図５】
2011208476.tif 000007
【図６】
2011208476.tif 000008
【図７】
2011208476.tif 000009